(57)【要約】【課題】データの報知画面を一定時間以上表示し続けることで、使用者が情報を確認しやすくなる情報通信端末を提供することを目的とする。【解決手段】センター装置１や端末機器５より文字、画像、音声、制御電文の少なくともいずれか一つからなるデータを受信してそれらのデータを出力する表示部３４と、データの内容に応じて少なくともあらかじめ定めた時間以上の間表示部３４に表示するように制御を行う表示制御部３５とを備えるものである。これによって、データの内容に応じて少なくともあらかじめ定めた時間以上の間表示し続けることができる。【選択図】図３
2006135473.tif 000002
【特許請求の範囲】
【請求項１】
通信回線を介してセンター装置と通信する第１の通信制御部と、端末機器との通信を行う第２の通信制御部と、前記第２の通信制御部によって前記端末機器の制御を行ったり、前記端末機器に蓄積したデータの収集を行ったり、前記第１の通信手段に接続した前記通信回線を介し前記センター装置へ収集したデータを送信したりする制御部と、前記センター装置や前記端末機器より文字、画像、音声、制御電文の少なくともいずれか一つからなるデータを受信してそれらのデータを出力する表示部と、前記データの内容に応じて少なくともあらかじめ定めた時間以上のあいだ前記表示部に表示するように制御を行う表示制御部と、前記表示部に表示する画面の変更やデータ送信の指示や確認を使用者に行わせる操作部とを備えた情報通信端末。
【請求項２】
請求項１記載の表示制御部が、表示部が特定のデータを表示しているあらかじめ定めた時間中は表示の優先順位の低い画面を表示部に表示しないことを特徴とする情報通信端末。
【請求項３】
請求項１記載の表示制御部が、表示部による特定のデータの画面表示に対して操作部によって確認の指示がなければあらかじめ定めた時間毎に再度あらかじめ定めた時間だけ前記特定のデータの画面を表示することを特徴とする情報通信端末。
【請求項４】
請求項１記載の表示制御部が、表示部による特定のデータの画面表示に対して操作部によって確認の指示がなければ他の画面への遷移も他の操作部の入力も無効とすることを特徴とする情報通信端末。
【請求項５】
請求項１記載の表示制御部が、商用電源が切断された後に再度商用電源が入った時に切断直前に表示していた特定のデータの画面をあらかじめ定めた時間以上表示することを特徴とする情報通信端末。
【請求項６】
請求項１〜５のいずれか１項に記載の情報通信端末における機能の少なくとも一部をコンピュータに実行させるためのプログラム。
【発明の詳細な説明】
【技術分野】
【０００１】
本発明は、端末機器の異常発生を報知、表示する情報通信端末およびそのプログラムに関するものである。
【背景技術】
【０００２】
たとえば、家庭で発生したガス異常を通知する方法に関しては、端末機器（ガスメータ）からの通報情報を通信回線を介してセンター装置へ通知するための情報通信端末（端末網制御装置）に表示部を設けて表示することが考えられている（例えば、特許文献１参照）。
【０００３】
また、パソコンを含む情報端末において、操作を行わない時間が決まった時間経過すると、画面を消したりするスクリーンセーバーの機能を用いて、画面表示の電力を削減したり、画面の焼きつきを防いだりしている。
【特許文献１】特開平８−１３０５８４号公報
【発明の開示】
【発明が解決しようとする課題】
【０００４】
しかしながら、前記従来の方法において、通報表示を行わないときやしばらく使用しないときには通常スクリーンセーバーなどを画面表示したりするのでたとえばガス異常が表示されたときに使用者が見なければ異常画面を確認するのが遅れるという課題があった。
【０００５】
本発明は、前記従来の課題を解決するもので、データの報知画面を一定時間以上表示し続けることで、使用者が情報を確認しやすくなる情報通信端末を提供することを目的とする。
【課題を解決するための手段】
【０００６】
前記従来の課題を解決するために、センター装置や端末機器より文字、画像、音声、制御電文の少なくともいずれか一つからなるデータを受信してそれらのデータを出力する表示部と、データの内容に応じて少なくともあらかじめ定めた時間以上のあいだ前記表示部に表示するように制御を行う表示制御部とを備えるものである。
【０００７】
これによって、データの内容に応じて少なくともあらかじめ定めた時間以上のあいだ表示し続けることができる。
【発明の効果】
【０００８】
本発明の情報通信端末およびそのプログラムは、データの報知画面を一定時間以上表示し続けることで、使用者が情報を確認しやすくすることができる。
【発明を実施するための最良の形態】
【０００９】
第１の発明は、通信回線を介してセンター装置と通信する第１の通信制御部と端末機器との通信を行う第２の通信制御部と、前記第２の通信制御部によって前記端末機器の制御を行ったり、前記端末機器に蓄積したデータの収集を行ったり、前記第１の通信手段に接続した通信回線を介し前記センター装置へ収集したデータを送信したりする制御部と、前記センター装置や前記端末機器より文字、画像、音声、制御電文の少なくともいずれか一つからなるデータを受信してそれらのデータを出力する表示部と、前記データの内容に応じて少なくともあらかじめ定めた時間以上のあいだ前記表示部に表示するように制御を行う表示制御部と、前記表示部に表示する画面の変更やデータ送信の指示や確認を使用者に行わせる操作部とを備えたことにより、データの内容に応じて少なくともあらかじめ定めた時間以上のあいだ表示し続けられるので、データの報知画面を一定時間以上表示し続けて使用者が情報を確認しやすくすることができる。
【００１０】
第２の発明は、特に、第１の発明において表示制御部は、表示部が特定のデータを表示しているあらかじめ定めた時間中は表示の優先順位の低い画面を表示部に表示しないことにより、特定のデータはあらかじめ定めた時間以上は必ず表示して使用者が認識しやすくすることができる。
【００１１】
第３の発明は、特に、第１の発明において表示制御部は、表示部による特定のデータの画面表示に対して操作部によって確認の指示がなければあらかじめ定めた時間毎に再度あらかじめ定めた時間だけ前記特定のデータの画面を表示するので、特定のデータの表示を使用者が見逃しても確認しなおすことができる。
【００１２】
第４の発明は、特に、第１の発明において表示制御部は、表示部による特定のデータの画面表示に対して操作部によって確認の指示がなければ他の画面への遷移も他の操作部の入力も無効とすることにより、特定のデータの表示を使用者が必ず確認することができる。
【００１３】
第５の発明は、特に、第１の発明において表示制御部は、商用電源が切断された後に再度商用電源が入った時に切断直前に表示していた特定のデータの画面をあらかじめ定めた時間以上表示することにより、特定のデータの表示を使用者が確認する前に商用電源が切断されることがあっても再度電源が入った後に確認することができる。
【００１４】
第６の発明は、特に、第１〜第５のいずれか１つの発明の情報通信端末における機能の少なくとも一部をコンピュータに実行させるためのプログラムとすることにより、電気・情報機器、コンピュータ、サーバー等のハードリソースを協働させて本発明の情報通信端末の少なくとも一部を容易に実現することができる。また記録媒体に記録したり通信回線を用いてプログラムを配信したりすることでプログラムの配布・更新やそのインストール作業が簡単にできる。
【００１５】
以下、本発明の実施の形態について、図面を参照しながら説明する。なお、本実施の形態によって本発明が限定されるものではない。
【００１６】
（実施の形態）
図１は、本発明の実施の形態における情報通信端末を用いたガス管理システムの全体構成を示すものである。
【００１７】
図１において、センター装置１と情報通信端末３間は通信回線２で通信を行い、端末機器であるガスメータ５と無線子機４間を有線で結んで、ガスメータ５の情報を無線子機４と情報通信端末３間は無線で通信する。また、ガス漏れ検知器６はガスメータ５に接続して宅内でのガス漏れを検出してガスメータ５へ通知する。
【００１８】
センター装置１は、各顧客の顧客データベースを有して顧客情報を管理するもので、パソコンやサーバで構成する。
【００１９】
図２は情報通信端末３のブロック構成図で、第１の通信制御部としての通信制御部３１はセンター装置１との通信制御を行い、第２の通信制御部としての無線通信部３２は無線によって無線子機４と通信制御を行う。記憶部３３はフラッシュメモリやＲＯＭ、ＲＡＭなどで構成して情報通信端末３のプログラム、通信のパラメータ、センター装置１や無線子機４との通信データなどを記憶する。表示部３４は液晶などで構成してセンター装置１や無線子機４との通信データの内容や記憶部３３に記憶した情報を表示し、表示制御部３５は表示部３４に表示するデータの表示や切替を制御する。操作部３６は押しボタンやタッチパネルで構成して表示部３４に表示する画面の変更やデータ送信の指示や確認を使用者が行うもので、制御部３７はマイコン等で構成して各部を制御しデータの受け渡しを行うものである。
【００２０】
次に、以上のように構成されたガス管理システムについて図１、図２のブロック図、図３の動作シーケンス図および図４から図６の表示例をもとに動作を説明する。
【００２１】
情報通信端末３において、操作部３６が操作されると表示制御部３５において操作タイマＴ１を起動して操作部３６が操作されない時間の計時を開始する（Ｓ１）。
【００２２】
ガス漏れ検知器６が宅内のガス漏れを検知するとガスメータ５へガス漏れを通知し、ガスメータ５は安全のために宅内へ供給するガスを遮断して無線子機４に通信開始要求を送信する。
【００２３】
無線子機４は、ガスメータ５から通信開始要求を受けると無線により情報通信端末３へ通信開始要求を送信する。
【００２４】
情報通信端末３は、無線通信部３２により無線子機４より通信開始要求を受けるとガスメータ５に対しての情報読み出し要求を無線によって無線子機４に送信する。
【００２５】
無線子機４は、情報通信端末３よりガスメータ５に対する情報読み出し要求を受けると、ガスメータ５にそのまま情報読み出し要求を送信する。
【００２６】
ガスメータ５は情報読み出し要求を受けると、ガスメータ５の持っている検針値や異常状態などの情報を情報読み出し応答として無線子機４へ送信する。
【００２７】
無線子機４は、ガスメータ５から情報読み出し応答を受けると無線により情報通信端末３へ情報読み出し応答を送信する。
【００２８】
情報通信端末３は、無線通信部３２により情報読み出し応答を受けると、制御部３７により情報読み出し応答の中のセキュリティデータを解析し、このセキュリティデータにおいて異常事象フラグに異常状態を示すフラグがある場合には、異常状態内容を通信制御部３１より通信回線２を介してセンター装置１へ送信する。
【００２９】
さらに、ガス漏れ異常などの宅内のガス使用者に早急に通知する必要がある場合には（Ｓ２）、表示制御部３５により表示部３４にガス漏れ発生の画面を表示し、スピーカ（図示せず）より音声ガイダンス、警報音を発生させる。例えばガス漏れ警報の場合の報知画面は図４に示すように異常内容と「確認」ボタン（図４の４１）を表示する。さらに、異常表示タイマＴ２を起動してガス異常報知画面（図４）の表示時間の計時を開始する（Ｓ３）。
【００３０】
ガスの異常状態としては、想定した時間以上継続してガスが使用されている場合にガスメータ５でガスの遮断を行ったことを通知する継続使用時間遮断、想定した以上のガス量が使用されている場合にガスメータ５でガスの遮断を行ったことを通知する合計増加流量遮断、宅内でのガス漏れをガス漏れ検知器６が検出した場合にガス漏れ器６に接続されたガスメータ５でガスの遮断を行ったことを通知するガス漏れ検知遮断、宅内配管においてガス圧が低下時にガスメータ５でガスの遮断を行ったことを通知する圧力センサ作動、地震によりガスメータ５でガスの遮断を行ったことを通知する感震器作動などがある。
【００３１】
情報通信端末３は、通常時には設定した時間（例えば１０分間）操作部３６に触れないときにはＴ１がタイムアウトして（Ｓ５）、センター装置１から送られてきたコンテンツ情報を表示する（Ｓ６）。これは、広告やスクリーンセーバーとして機能するもので、例えば図６のようなスーパーの売り出し広告であったりする。
【００３２】
ところが、ガス異常の報知画面は安全のためには重要事項であるため、表示制御部３５はガス異常の報知画面を表示している間は、Ｔ２のタイムアウト時間として設定した時間（たとえば１５分）が経過しなければ画面をコンテンツ情報表示に切り替えない制御を行う（Ｓ４）。
【００３３】
これは、画面の表示の優先順位をコンテンツ情報よりガス異常の報知画面の方を高く設定することで行うこととすれば、他の報知画面についても表示の優先順位で設定した時間が経過しないと画面をコンテンツ情報表示に切り替えない制御を行うことができる。
【００３４】
また、図４のガス異常画面において、使用者が操作部３６を用いて「確認（４１）」を押下すると、図５に示すようにその対処方法とガス復帰操作に関する画面を表示し、画面内容に従ってシーケンス的に復帰介助を行うことでガス復帰を使用者が容易にできるようにしている。
【００３５】
以上のように、ガス異常が発生したときは、ガス異常の報知画面を一定時間以上表示し続けるので、ガス異常の安全を確認しやすくなる。
【００３６】
なお、図３のシーケンスが終了してコンテンツ情報表示後は図７に示すように、ガス異常報知画面で一定時間以上操作されないでコンテンツ情報の表示に切り替わった場合でも（Ｓ６）、ガス異常報知画面を表示していた場合（Ｓ７）は切り替わった時点で表示タイマＴ３を起動し（Ｓ８）、コンテンツ情報の表示が設定した時間（たとえば１０分）が経過するとＴ３がタイムアウトして（Ｓ９）、ガス異常の報知画面を表示し、タイマＴ２を起動する（Ｓ１０）。ガス異常の報知画面はＴ２のタイムアウト時間として設定した時間（たとえば１５分）が経過しなければ画面をコンテンツ情報表示に切り替えない制御を行い（Ｓ１１）、Ｔ２のタイムアウト後再度コンテンツ情報の表示に切り替わる（Ｓ６）。
【００３７】
このように、図７のＳ６〜Ｓ１１の動作ループはガス異常の報知画面中に操作部３６によって確認操作を行い報知画面が閉じられた時点で終了することとすれば、ガス異常の報知画面が使用者によって認識されて操作されるまで定期的に表示されるので、よりガス異常の安全を確認しやすくなる。
【００３８】
また、ガス異常の報知画面を表示したときは、使用者が操作部３６を用いて「確認」を押下して、画面内容に従ってシーケンス的に復帰を行わなければ他の押しボタン等の操作部３６も効かず、コンテンツ情報も含めて他の画面への遷移もしないこととすれば、ガス異常時の使用者の早急なガス処理の対応を誘導することができる。
【００３９】
また、商用電源が切断された場合でも、記憶部３３の商用電源の切断でも消えない記憶素子に画面表示情報を記憶しておくことで、次回商用電源が入ったときにガス異常の報知画面の表示が行われ、上記実施の形態と同じく設定した時間Ｔ２以上表示することとすれば、停電や誤って情報通信端末３のコンセントを抜いてしまった場合でも商用電源が復帰すれば、重要な表示は再度表示を行うことで使用者が確認を忘れることがない。
【００４０】
なお、センター装置１と情報通信端末３との通信回線２での通信は通信制御部３１としてモデムを搭載し電話回線を介したダイアリングによってプロバイダに接続し、プロバイダのダイアルアップ接続によってインターネットに接続する方法でもよいし、接続する回線は電話回線（アナログ）である必要はなくＩＳＤＮ等のデジタル回線でもよい。またダイアルアップ接続でなく、ＡＤＳＬ、ＣＡＴＶ、光ファイバーを用いた常時接続であってもよい。無線ＬＡＮ、ＰＨＳなどの無線通信網であってもよい。
【００４１】
また、本実施の形態では情報通信端末３から無線子機４を介して端末機器であるガスメータ５と通信を行う形態としているが、情報通信端末３とガスメータ５を有線で直接接続して通信を行うこととすれば、無線回路が必要なくなりシステムのコストを下げることができる。
【００４２】
また、これらの情報通信端末３の全てまたは一部をプログラムやデータで実現することで、情報処理システムのコンピュータを利用して実現することができる。また、そのプログラムやデータを記録した記録媒体を用いることでソフトウエアを汎用マイコンの制御メモリに書き込んだり、データを他の端末へ移動したりする作業が容易にできるため、記録媒体や通信回線でのダウンロードによって運用途中でのプログラムの変更や追加を行うことで新たな仕様変更に対応できる。
【００４３】
なお、本実施の形態はガス管理システムにおいて説明したがこれに限定するものではない。
【産業上の利用可能性】
【００４４】
本発明の情報通信端末およびそのプログラムは、端末機器の情報を一定時間表示して使用者が確認しやすくすることができるので、ガスメータや設備機器などの異常を表示する異常通報装置や侵入センサーや緊急コールなどの通報を表示するセキュリティシステムに適用できる。
【図面の簡単な説明】
【００４５】
【図１】本発明の実施の形態の情報通信端末を用いたガス管理システムの構成図
【図２】同ガス管理システムの情報通信端末のブロック図
【図３】同ガス管理システムの情報通信端末の動作シーケンス図
【図４】同ガス管理システムの情報通信端末のガス異常の報知画面例を示す図
【図５】同ガス管理システムの情報通信端末のガス異常の復帰操作画面例を示す図
【図６】同ガス管理システムの情報通信端末のコンテンツ情報表示例を示す図
【図７】同ガス管理システムの情報通信端末の動作シーケンス図
【符号の説明】
【００４６】
１  センター装置
２  通信回線
３  情報通信端末
４  無線子機
５  ガスメータ（端末機器）
３１  通信制御部（第１の通信制御部）
３２  無線通信部（第２の通信制御部）
３３  記憶部
３４  表示部
３５  表示制御部
３６  操作部
３７  制御部
【図１】
2006135473.tif 000003
【図２】
2006135473.tif 000004
【図３】
2006135473.tif 000005
【図７】
2006135473.tif 000006
【図４】
2006135473.tif 000007
【図５】
2006135473.tif 000008
【図６】
2006135473.tif 000009